(57)【要約】【課題】  簡単な構成で、同一のコンテンツを複数のコンテンツ再生装置で再生することができるコンテンツ再生システムを提供する。【解決手段】  動画及び音声の少なくとも一方を含むコンテンツを再生する第１コンテンツ再生装置２と、動画及び音声の少なくとも一方を含むコンテンツを再生する第２コンテンツ再生装置４と、前記第１コンテンツ再生装置２により再生するコンテンツを前記第２コンテンツ再生装置４で再生させる通信部１４，２６とを含む。【選択図】  図２
2010212836.tif 000002
【特許請求の範囲】
【請求項１】
動画及び音声の少なくとも一方を含むコンテンツを再生する第１コンテンツ再生装置と、
動画及び音声の少なくとも一方を含むコンテンツを再生する第２コンテンツ再生装置と、
前記第１コンテンツ再生装置により再生するコンテンツを前記第２コンテンツ再生装置で再生させる通信部と、
を含むことを特徴とするコンテンツ再生システム。
【請求項２】
前記第１コンテンツ再生装置による再生手段に基づいて、前記第２コンテンツ再生装置により前記コンテンツを再生し、
前記第２コンテンツ再生装置の再生性能及び前記通信部の通信性能の少なくとも一方に基づいて、前記第１コンテンツ再生装置により実行可能な再生手段を変更することを特徴とする請求項１記載のコンテンツ再生システム。
【請求項３】
前記第１コンテンツ再生装置による再生手段に基づいて、前記第２コンテンツ再生装置により前記コンテンツを再生し、
前記第１コンテンツ再生装置は、前記第２コンテンツ再生装置の再生性能及び前記通信部の通信性能の少なくとも一方に基づいて、前記第１コンテンツ再生装置により再生されている情報と異なる情報を前記第２コンテンツ再生装置に送信することを特徴とする請求項１記載のコンテンツ再生システム。
【請求項４】
前記第２コンテンツ再生装置による再生手段に基づいて、前記第１コンテンツ再生装置による再生手段を変更することを特徴とする請求項１〜請求項３の何れか一項に記載のコンテンツ再生システム。
【請求項５】
前記第１コンテンツ再生装置による再生手段は、前記第２コンテンツ再生装置による再生手段と異なることを特徴とする請求項４記載のコンテンツ再生システム。
【請求項６】
前記第２コンテンツ再生装置は、コンテンツデータを記憶する記憶部を備え、
前記第１コンテンツ再生装置により再生するコンテンツに基づくコンテンツデータが前記記憶部に記憶されている場合には、前記コンテンツデータから形成されるコンテンツを再生することを特徴とする請求項１〜請求項５の何れか一項に記載のコンテンツ再生システム。
【発明の詳細な説明】
【技術分野】
【０００１】
本発明は、動画及び音声の少なくとも一方を含むコンテンツを再生するコンテンツ再生システムに関するものである。
【背景技術】
【０００２】
マルチメディアコンテンツ等のデータ情報をサーバから複数のエンドユーザ局に送信するデータ通信システムが知られている（例えば、特許文献１参照）。
【先行技術文献】
【特許文献】
【０００３】
【特許文献１】特表２００５−５１８１２０号公報
【発明の概要】
【発明が解決しようとする課題】
【０００４】
複数のコンテンツ再生装置で同時に同一のコンテンツを再生する場合には、コンテンツを蓄積するサーバを設置し、各コンテンツ再生装置は、サーバにアクセスし、サーバから配信されるコンテンツを再生していた。しかしながら、サーバの設置等に多くの費用と労力を要していた。
【０００５】
本発明の目的は、簡単な構成で、同一のコンテンツを複数のコンテンツ再生装置で再生することができるコンテンツ再生システムを提供することである。
【課題を解決するための手段】
【０００６】
本発明のコンテンツ再生システムは、動画及び音声の少なくとも一方を含むコンテンツを再生する第１コンテンツ再生装置と、動画及び音声の少なくとも一方を含むコンテンツを再生する第２コンテンツ再生装置と、前記第１コンテンツ再生装置により再生するコンテンツを前記第２コンテンツ再生装置で再生させる通信部とを含むことを特徴とする。
【発明の効果】
【０００７】
本発明のコンテンツ再生システムによれば、簡単な構成で、同一のコンテンツを複数のコンテンツ再生装置で再生することができる。
【図面の簡単な説明】
【０００８】
【図１】第１の実施の形態に係るコンテンツ再生システムの概略構成を模式的に示した図である。
【図２】第１の実施の形態に係るコンテンツ再生システムのシステム構成を示すブロック図である。
【図３】第１の実施の形態に係るコンテンツ再生システムにおいてＰＣ及びＰＤＡが同一のコンテンツを同時に再生する際の処理について説明するためのフローチャートである。
【図４】第１の実施の形態に係るコンテンツ再生システムにおいてＰＣ及びＰＤＡが同一のコンテンツを同時に再生する際の処理について説明するためのタイムチャートである。
【図５】第１の実施の形態に係るコンテンツ再生システムにおいてＰＣの巻戻し再生を許可するか否かを判別する際の処理について説明するためのフローチャートである。
【図６】第２の実施の形態に係るコンテンツ再生システムにおいてＰＣがコンテンツを早送り再生する際のＰＣ及びＰＤＡが行う処理について説明するためのフローチャートである。
【図７】第２の実施の形態に係るコンテンツ再生システムにおいてＰＣがコンテンツを早送り再生する際のＰＣ及びＰＤＡが行う処理について説明するためのフローチャートである。
【発明を実施するための形態】
【０００９】
以下、図面を参照して、本発明の第１の実施の形態に係るコンテンツ再生システムについて説明する。図１は、第１の実施の形態に係るコンテンツ再生システムの概略構成を模式的に示した図である。図１に示すように、コンテンツ再生システムは、第１コンテンツ再生装置としてノートパソコンやデスクトップパソコン等のパーソナルコンピュータ（以下、ＰＣという）２、及び第２コンテンツ再生装置としてＰＤＡ４を備えている。なお、第２コンテンツ再生装置として、ＰＤＡ４の代わりにノートパソコン、タブレットＰＣ、ウェアラブルディスプレイ、ウェアラブルコンピュータ等の移動通信型の携帯機器を備えることもできる。ＰＣ２は、有線等により構成されるＬＡＮ６、アクセスポイント８、無線ＬＡＮ１０を介してＰＤＡ４に接続されている。
【００１０】
なお、この実施の形態では、ＰＣ２及びＰＤＡ４を、アクセスポイント８を介してＬＡＮ６及び無線ＬＡＮ１０により接続しているが、アクセスポイントを介さずに直接通信を行うアドホックモードにより接続することもでき、または、インターネット等を介して接続することもできる。
【００１１】
図２は、第１の実施の形態に係るコンテンツ再生システムのシステム構成を示すブロック図である。図２に示すように、ＰＣ２は、ＰＣ２の各部を統括的に制御するＣＰＵ１２を備えており、ＣＰＵ１２には、ＬＡＮ通信部１４、記憶部１６、表示部１８、スピーカ２０及び操作部２２が接続されている。ＬＡＮ通信部１４は、ＬＡＮ６及びアクセスポイント８を介してＰＤＡ４とネットワーク接続し、ＰＤＡ４と通信を行う。記憶部１６は、ＣＰＵ１２が動作するためのプログラム、動画及び音声の少なくとも一方を含むコンテンツに基づくコンテンツデータ等を記憶する。表示部１８は、コンテンツに含まれる動画等を表示し、スピーカ２０は、コンテンツに含まれる音声等を再生する。操作部２２は、図示しないキーボードやポインティングデバイス等を含んで構成されている。
【００１２】
ＰＤＡ４は、ＰＤＡ４の各部を統括的に制御するＣＰＵ２４を備えており、ＣＰＵ２４には、無線ＬＡＮ通信部２６、記憶部２８、表示部３０、スピーカ３２及び操作部３４が接続されている。無線ＬＡＮ通信部２６は、無線ＬＡＮ１０及びアクセスポイント８を介してＰＣ２とネットワーク接続し、ＰＣ２と通信を行う。記憶部２８は、ＣＰＵ２４が動作するためのプログラム等を記憶しており、更にストリーミング再生を行う際に受信したコンテンツデータを一時的に記憶する。表示部３０は、受信したコンテンツデータから形成される動画等を表示し、スピーカ３２は、受信したコンテンツデータから形成される音声等を再生する。操作部３４は、図示しないボタンやタッチパネル等を含んで構成されている。
【００１３】
次に、図３のフローチャート及び図４のタイムチャートを参照して、第１の実施の形態に係るコンテンツ再生システムにおいてＰＣ２及びＰＤＡ４が同一のコンテンツを同時に再生する際の処理について説明する。
【００１４】
まず、ＰＣ２のＣＰＵ１２は、ユーザー操作により、操作部２２を介して、記憶部１６に記憶されているコンテンツデータから形成されるコンテンツ（この実施の形態では、動画及び音声）の再生指示Ａを取得する（ステップＳ１０）。次に、ＣＰＵ１２は、ＰＤＡ４に対して、コンテンツの再生指示Ｂを送信し、かつ該コンテンツをＰＤＡ４においてストリーミング再生させるために、該コンテンツに基づくコンテンツデータの送信を開始する（ステップＳ１１）。
【００１５】
ＰＤＡ４のＣＰＵ２４は、ステップＳ１１においてＰＣ２から送信されたコンテンツの再生指示Ｂを受信し、かつ該コンテンツに基づくコンテンツデータの受信を開始する（ステップＳ２０）。次に、ＣＰＵ２４は、ＰＣ２から送信されるコンテンツデータを、記憶部２８に所定時間（通常数秒間）バッファリング（図中ドットで示す領域Ｃ）する（ステップＳ２１）。そして、ＣＰＵ２４は、バッファリングを完了した後、ＰＣ２に対してバッファリング完了通知Ｄを送信し（ステップＳ２２）、コンテンツのストリーミング再生を開始する（ステップＳ２３）。即ち、コンテンツに含まれる動画を表示部３０に表示し、コンテンツに含まれる音声をスピーカ３２から出力する。
【００１６】
一方、ＰＣ２のＣＰＵ１２は、ステップＳ２２においてＰＤＡ４から送信されたバッファンリング完了通知Ｄを受信した後（ステップＳ１２）、コンテンツの再生を開始する（ステップＳ１３）。即ち、コンテンツに含まれる動画を表示部１８に表示し、コンテンツに含まれる音声をスピーカ２０から出力する。このように、ＰＣ２及びＰＤＡ４は、図４に示すように、略同時に同一のコンテンツの再生を開始する。
【００１７】
次に、ＣＰＵ１２は、コンテンツを再生している間（図中斜線で示す領域Ｅ）に、ユーザー操作により、操作部２２を介してコンテンツの再生停止指示Ｆを取得した場合には（ステップＳ１４）、ＰＤＡ４に対してコンテンツの再生停止指示Ｇを送信し、かつ該コンテンツに基づくコンテンツデータの送信を停止する（ステップＳ１５）。そして、ＣＰＵ１２は、コンテンツの再生を停止する（ステップＳ１６）。
【００１８】
ＰＤＡ４のＣＰＵ２４は、コンテンツをストリーミング再生している間（図中斜線で示す領域Ｈ）に、ステップＳ１４においてＰＣ２から送信されたコンテンツの再生停止指示Ｆを受信する（ステップＳ２４）。そして、ＣＰＵ２４は、コンテンツの再生を停止した後（ステップＳ２５）、ＰＣ２に対して再生停止完了通知Ｊを送信し（ステップＳ２６）、ＰＣ２のＣＰＵ１２は、ステップＳ２６においてＰＤＡ４から送信された再生停止完了通知Ｊを受信する（ステップＳ１７）。
【００１９】
ところで、第１の実施の形態に係るコンテンツ再生システムにおいてＰＣ２及びＰＤＡ４が同一のコンテンツを同時に再生しているときに、ＰＣ２またはＰＤＡ４においてユーザー操作によりコンテンツの巻戻し再生や早送り再生のようなトリック再生指示がなされる場合がある。しかしながら、各コンテンツ再生装置（この実施の形態ではＰＣ２及びＰＤＡ４）の再生性能や通信性能により実行可能なトリック再生の種類が異なる。ここで、再生性能とはバッファリング可能な記憶容量の大きさ等のことであり、通信性能とは各コンテンツ再生装置を繋ぐ回線（この実施の形態ではＬＡＮ６、アクセスポイント８、無線ＬＡＮ１０）の速度等のことである。
【００２０】
例えば、ＰＣ２においてユーザーによりコンテンツの巻戻し再生指示がなされた場合には、ＰＤＡ４のバッファリング可能な記憶容量は一般的に少なく、過去に再生されたコンテンツに基づくコンテンツデータは記憶部２８内から削除されるため、ＰＣ２で巻戻し再生可能であってもＰＤＡ４で同様の巻戻し再生ができない場合がある。この場合には、ＰＣ２及びＰＤＡ４において同時に同一のコンテンツを巻戻し再生することができない。したがって、この実施の形態では、ＰＤＡ４の再生性能及びＰＣ２とＰＤＡ４とを繋ぐ回線性能の少なくとも一方に基づいて、ＰＣ２により実行可能なトリック再生を変更する。
【００２１】
図５は、第１の実施の形態に係るコンテンツ再生システムにおいてＰＣ２の巻戻し再生を許可するか否かを判別する際の処理について説明するためのフローチャートである。
【００２２】
まず、ＰＣ２のＣＰＵ１２は、ＰＤＡ４から送信されるＰＤＡ４のバッファリング可能な記憶容量の大きさを取得する（ステップＳ３０）。なお、ＰＤＡ４のＣＰＵ２４は、ＰＣ２及びＰＤＡ４が同一のコンテンツを同時に再生する前（例えば、ＰＣ２とＰＤＡ４との接続時）に予めＰＤＡ４のバッファリング可能な記憶容量の大きさを送信する。
【００２３】
次に、ＣＰＵ１２は、ステップＳ３０において取得したバッファリング可能な記憶容量の大きさに基づいて、ＰＤＡ４においてコンテンツの巻戻し再生が可能か否かを判別する（ステップＳ３１）。即ち、バッファリング可能な記憶容量の大きさが所定量より大きい場合には、ＰＤＡ４においてコンテンツの巻戻し再生が可能であると判別し、バッファリング可能な記憶容量の大きさが所定量以下の場合には、ＰＤＡ４においてコンテンツの巻戻し再生が不可であると判別する。
【００２４】
ＰＤＡ４においてコンテンツの巻戻し再生が不可であると判別された場合には（ステップＳ３１、Ｎｏ）、ＣＰＵ１２は、ＰＣ２においてコンテンツの巻戻し再生を禁止する設定、具体的には巻戻し再生を指示するための巻戻しボタンを無効にする等の設定を行う（ステップＳ３２）。また、ＰＤＡ４においても、コンテンツの巻戻し再生の可否に基づいて、コンテンツの巻戻し再生を指示するための巻戻しボタンを無効にする等の設定を行う。
【００２５】
次に、第１の実施の形態に係るコンテンツ再生システムにおいてＰＣ２の早送り再生を許可するか否かを判別する際の処理について説明する。
【００２６】
まず、ＰＣ２のＣＰＵ１２は、ＰＤＡ４から送信されるＰＤＡ４のバッファリング可能な記憶容量の大きさ、コンテンツ再生のためのバッファリングに現在使用されている記憶容量の大きさ、及び回線の速度等の情報を取得する。なお、これらの情報は、ＰＤＡ４からＰＣ２に対して、ＰＣ２とＰＤＡ４との接続時、及び定期的に送信される。
【００２７】
次に、ＣＰＵ１２は、バッファリング可能な記憶容量の大きさやコンテンツ再生のためのバッファリングに現在使用されている記憶容量の大きさが大きい場合、回線の速度が速い場合には、ＰＤＡ４においてコンテンツの早送り再生が可能であると判別する。一方、ＣＰＵ１２は、バッファリング可能な記憶容量の大きさやコンテンツ再生のためのバッファリングに現在使用している記憶容量の大きさが小さい場合、回線の速度が遅い場合には、ＰＤＡ４においてコンテンツの早送り再生が不可であると判別し、ＰＣ２においてコンテンツの早送り再生を指示するための早送りボタンを無効にする等の設定を行う。
【００２８】
なお、回線の速度は、回線が混んでいるか否か等により、コンテンツ再生中においても時々刻々と変化する。したがって、コンテンツ再生中においても、ＰＤＡ４はＰＣ２に対して上述の情報を定期的に送信し、送信結果に基づいてＰＤＡ４におけるコンテンツの早送り再生の可否を判別し、判別結果に基づいてＰＣ２における早送り再生の可否の設定を行う。また、ＰＤＡ４においても、コンテンツの早送り再生の可否に基づいて、コンテンツの早送り再生を指示するための早送りボタンを無効にする等の設定を行う。
【００２９】
第１の実施の形態に係るコンテンツ再生システムによれば、サーバ等を介さずに、ＰＣ２により再生されているコンテンツをＰＤＡ４に送信し、ＰＤＡ４で同時に再生することができる。即ち、サーバ等を介さずに、ＰＣ２及びＰＤＡ４において同一のコンテンツを同時に再生することができる。また、ＰＤＡ４において不可能なトリック再生については、ＰＣ２においても禁止する設定を行うため、ＰＣ２及びＰＤＡ４における同一コンテンツの同時再生を継続させることができる。
【００３０】
次に、図面を参照して、本発明の第２の実施の形態に係るコンテンツ再生システムについて説明する。なお、第２の実施の形態に係るコンテンツ再生システムにおいては、第１の実施の形態に係るコンテンツ再生システムの構成と同一の構成を有しているため、その説明を省略し、同一の構成には同一の符号を用いて説明を行う。また、第２の実施の形態に係るコンテンツ再生システムにおいてＰＣ２及びＰＤＡ４が同一のコンテンツを同時に再生する際の処理は、第１の実施の形態に係るコンテンツ再生システムにおける処理と同一のため、その説明を省略する。
【００３１】
次に、図６のフローチャート及び図７のタイムチャートを参照して、第２の実施の形態に係るコンテンツ再生システムにおいてＰＣ２がコンテンツを早送り再生する際のＰＣ２及びＰＤＡ４が行う処理について説明する。
【００３２】
まず、ＰＣ２及びＰＤＡ４が同一のコンテンツ（この実施の形態では、動画及び音声）を同時に再生しているときに（図７の斜線で示す領域Ｐ，Ｑ）、ＰＣ２においてユーザー操作によりコンテンツの早送り再生の指示がなされたとする。ＰＣ２のＣＰＵ１２は、操作部２２を介して、再生中のコンテンツの早送り再生指示Ｒを取得する（ステップＳ４０）。
【００３３】
次に、ＣＰＵ１２は、ＰＤＡ４に対して、コンテンツの早送り再生指示Ｓ、及び該コンテンツの早送り再生中にＰＤＡ４において再生する早送り用コンテンツに基づく早送り用コンテンツデータを送信し（ステップＳ４１）、コンテンツの早送り再生を開始する（ステップＳ４２）。
【００３４】
即ち、ＣＰＵ１２は、ＰＤＡ４のバッファリング可能な記憶容量の大きさ、コンテンツ再生のためのバッファリングに現在使用されている記憶容量の大きさ、及び回線の速度等の情報から、ＰＤＡ４においてＰＣ２と同様のコンテンツの早送り再生を行うことはできないと判断し、早送り用コンテンツデータを送信する。なお、これらの情報は、ＰＤＡ４からＰＣ２に対して、ＰＣ２とＰＤＡ４との接続時に送信される。また、早送り用コンテンツに含まれる画像には、グレーや黒等の単色画像、ＰＣ２において早送り再生中であることを示すメッセージを表示した画像、早送り再生されているコンテンツを所定時間（例えば１５秒）毎に再生するスキップ再生画像等、ＰＣ２において早送り再生されている画像とは異なる画像が含まれる。また、早送り用コンテンツに含まれる音声には、無音、ＰＣ２において早送り再生中であることを示すメッセージを再生した音声等が含まれる。
【００３５】
ＰＤＡ４のＣＰＵ２４は、ステップＳ４１においてＰＣ２から送信されたコンテンツの早送り再生指示Ｓ、及び早送り再生用コンテンツデータを受信する（ステップＳ５０）。次に、ＣＰＵ２４は、ステップＳ５０において受信した早送り用コンテンツデータから形成される早送り用コンテンツを再生する（ステップＳ５１）。
【００３６】
一方、ＰＣ２のＣＰＵ１２は、コンテンツを早送り再生している間（図中縦線で示す領域Ｔ）に、ユーザー操作により、操作部２２を介してコンテンツの早送り再生を停止する早送り停止指示Ｕを取得した場合には（ステップＳ４３）、ＰＤＡ４に対してコンテンツの早送り停止指示Ｖを送信し、かつコンテンツをＰＤＡ４においてストリーミング再生させるために、該コンテンツに基づくコンテンツデータの送信を開始する（ステップＳ４４）。そして、ＣＰＵ１２は、コンテンツの早送り再生を停止する（ステップＳ４５）。
【００３７】
ＰＤＡ４のＣＰＵ２４は、早送り用コンテンツを再生している間（図中横線で示す領域Ｗ）に、ステップＳ４４においてＰＣ２から送信されたコンテンツの早送り停止指示Ｖを受信し、かつコンテンツデータの受信を開始する（ステップＳ５２）。次に、ＣＰＵ２４は、ＰＣ２から送信されるコンテンツデータをバッファリング（図中ドットで示す領域Ｘ）し（ステップＳ５３）、ＰＣ２に対してバッファリング完了通知Ｙを送信してから（ステップＳ５４）、コンテンツのストリーミング再生を再開する（ステップＳ５５）。
【００３８】
ＰＣ２のＣＰＵ１２も、ＰＤＡ４から送信されたバッファンリング完了通知Ｙを受信した後（ステップＳ４６）、コンテンツの再生を再開する（ステップＳ４７）。
【００３９】
なお、第２の実施の形態に係るコンテンツ再生システムにおいてＰＣ２がコンテンツを巻戻し再生する際のＰＣ２及びＰＤＡ４が行う処理は、図６のフローチャートに示す早送り再生する際の処理と同様である。
【００４０】
第２の実施の形態に係るコンテンツ再生システムによれば、サーバ等を介さずに、ＰＣ２及びＰＤＡ４において同一のコンテンツを同時に再生することができる。また、ＰＤＡ４において不可能な早送り再生（巻戻し再生）をＰＣ２で行う場合には、ＰＣ２から送信される早送り用コンテンツ（巻戻し用コンテンツ）をＰＤＡ４で再生させることができるため、ＰＣ２において早送り再生（巻戻し再生）を行うことができ、ＰＣ２及びＰＤＡ４における同一コンテンツの同時再生を継続させることができる。
【００４１】
なお、第２の実施の形態に係るコンテンツ再生システムにおいては、ＰＣ２からのトリック再生指示がなされた場合におけるＰＣ２及びＰＤＡ４が行う処理について説明したが、ＰＤＡ４からのトリック再生指示がなされた場合においてもＰＤＡ４からのトリック再生指示に従ってＰＣ２及びＰＤＡ４がコンテンツのトリック再生を行うことが望ましい。即ち、ＰＤＡ４において巻戻し再生や早送り再生が可能な場合には、ＰＤＡ４からの巻戻し再生指示や早送り再生指示に従ってＰＣ２及びＰＤＡ４において巻戻し再生や早送り再生を行う。また、ＰＤＡ４において巻戻し再生や早送り再生ができないが、所定時間（例えば１５秒）毎のスキップ再生が可能な場合には、ＰＤＡ４からのスキップ再生指示に従ってＰＤＡ４においては所定時間毎のスキップ再生を行い、ＰＣ２においては早送り再生を行うとよい。この場合には、ＰＤＡ４による再生手段とＰＣ２による再生手段とが異なるため、ＰＤＡ４とＰＣ２とで再生されるコンテンツは異なるが、ＰＣ２では、スキップ再生による円滑でない動画でなく、早送り再生による円滑な動画を再生させることができる。
【００４２】
また、上述の各実施の形態に係るＰＤＡ４においては、ＰＣ２から送信されるコンテンツデータをバッファリングし、バッファリング完了後、コンテンツのストリーミング再生を行っているが、ＰＣ２から送信されるコンテンツデータと同一のコンテンツデータが記憶部２８に記憶されている場合には、ＰＤＡ４は、ＰＣ２からの再生指示及びトリック再生指示に従って、記憶部２８に記憶されているコンテンツデータから形成されるコンテンツを再生及びトリック再生してもよい。この場合には、バッファリング可能な記憶容量が比較的小さいＰＤＡ４においても巻戻し再生や早送り再生等のトリック再生を円滑に行うことができる。
【符号の説明】
【００４３】
２…ＰＣ、４…ＰＤＡ、６…ＬＡＮ、８…アクセスポイント、１０…無線ＬＡＮ、１２，２４…ＣＰＵ、１４…ＬＡＮ通信部、１６，２８…記憶部、１８，３０…表示部、２０，３２…スピーカ、２２，３４…操作部、２６…無線ＬＡＮ通信部。
【図１】
2010212836.tif 000003
【図２】
2010212836.tif 000004
【図３】
2010212836.tif 000005
【図４】
2010212836.tif 000006
【図５】
2010212836.tif 000007
【図６】
2010212836.tif 000008
【図７】
2010212836.tif 000009